(57)【要約】【課題】商用電源の確保が困難な場所でも連続して使用することができる小型の電子機器及び電源供給システム並びに電源供給方法を提供する。【解決手段】バッテリー１１と電気的に接続される第１の電源端子２１ａ，２１ｂと、バッテリーとケーブルを介して電気的に接続され、第１の電源端子２１ａ，２１ｂに接続されたバッテリー１１が交換可能な位置に配される第２の電源端子２４ａ，２４ｂとを備え、第１の電源端子に接続されたバッテリー１１が交換される場合、ケーブル１３を介して第２の電源端子に予備バッテリーが接続され、予備バッテリーから電力の供給を受ける。【選択図】図２
2008283768.tif 000002
【特許請求の範囲】
【請求項１】
バッテリーが装着される装着部に設けられ、このバッテリーと電気的に接続される第１の端子と、
バッテリーとケーブルを介して電気的に接続され、上記第１の端子に接続されたバッテリーが交換可能な位置に配される第２の端子と、
電力を消費する負荷と、
上記第１の端子及び上記第２の端子のうち少なくともいずれか一方の端子に入力される電力を上記負荷に供給する供給手段とを備え、
上記供給手段は、上記第１の端子が第１のバッテリーと接続され、上記第２の端子がケーブルを介して第２のバッテリーと接続されると、上記第１の端子及び上記第２の端子に入力される電力を上記負荷に供給し、
上記第１のバッテリーが装着部から取り外され、上記第２の端子がケーブルを介して第２のバッテリーと接続されると、上記第２の端子に入力される電力を上記負荷に供給し、
上記第１の端子が第２のバッテリーと接続され、上記第２の端子がケーブルを介して第２のバッテリーと接続されると、上記第１の端子及び上記第２の端子に入力される電力を上記負荷に供給し、
上記第２のバッテリーと接続されたケーブルが上記第２の端子から取り外されると、上記第２の端子に入力される電力を上記負荷に供給する電子機器。
【請求項２】
上記第１の端子及び上記第２の端子のうち少なくともいずれか一方の端子のバッテリー接続を検出する検出手段と、
上記第１の端子及び上記第２の端子のうち少なくともいずれか一方の端子に入力される電力を整流する整流素子とを備え、
上記供給手段は、上記検出手段における検出結果に応じて、上記整流素子への電力の入力を制御する請求項１記載の電子機器。
【請求項３】
上記検出手段における検出結果を告知する告知手段を備える請求項２記載の電子機器。
【請求項４】
上記第１の端子及び上記第２の端子に接続されたバッテリーの電力残量を検知する検知手段を備え、
上記告知手段は、上記検知手段における検知結果を告知する請求項３記載の電子機器。
【請求項５】
第１の電力出力端子及び第２の電力出力端子を備える第１及び第２のバッテリーと、
バッテリーが装着される装着部に設けられ、上記第１の電力出力端子と電気的に接続される第１の端子と、
上記第２の電力出力端子とケーブルを介して電気的に接続され、上記第１の端子に接続されたバッテリーが交換可能な位置に配される第２の端子と、
電力を消費する負荷と、
上記第１の端子及び上記第２の端子のうち少なくともいずれか一方の端子に入力された電力を上記負荷に供給する供給手段とを備え、
上記第１の端子が第１のバッテリーの第１の電力出力端子と接続され、上記第２の端子がケーブルを介して第２のバッテリーの第２の電力出力端子と接続されると、上記第１の端子及び上記第２の端子に入力される電力を上記負荷に供給し、
上記第１のバッテリーが装着部から取り外され、上記第２の端子がケーブルを介して第２のバッテリーの第２の電力出力端子と接続されると、上記第２の端子に入力される電力を上記負荷に供給し、
上記第１の端子が第２のバッテリーの第１の電力出力端子と接続され、上記第２の端子がケーブルを介して第２のバッテリーの第２の電力出力端子と接続されると、上記第１の端子及び上記第２の端子に入力される電力を上記負荷に供給する電源供給システム。
【請求項６】
第１の電力出力端子及び第２の電力出力端子を備える第１及び第２のバッテリーと、バッテリーが装着される装着部に設けられ、上記第１の電力出力端子と電気的に接続される第１の端子と、上記第２の電力出力端子とケーブルを介して電気的に接続され、上記第１の端子に接続されたバッテリーが交換可能な位置に配される第２の端子と、電力を消費する負荷と、上記第１の端子及び上記第２の端子のうち少なくともいずれか一方の端子に入力された電力を上記負荷に供給する供給手段とを備える電源供給システムにおける電源供給方法であって、
上記第１の端子が第１のバッテリーの第１の電力出力端子と接続され、上記第２の端子がケーブルを介して第２のバッテリーの第２の電力出力端子と接続され、上記第１の端子及び上記第２の端子に入力された上記第１のバッテリー及び上記第２のバッテリーの電力を上記負荷に供給する第１の供給工程と、
上記第１の端子に接続された第１のバッテリーが上記装着部から取り外され、上記第２の端子に入力された上記第２のバッテリーの電力を上記負荷に供給する第２の供給工程と、
上記第１のバッテリーが取り外された第１の端子に上記第２のバッテリーの第１の電力出力端子が接続され、上記第１の端子及び上記第２の端子に入力された上記第２のバッテリーの電力を上記負荷に供給する第３の供給工程と、
上記第２のバッテリーと接続されたケーブルが上記第２の端子から取り外され、上記第１の端子に入力された上記第２のバッテリーの電力を上記負荷に供給する第４の供給工程とを有する電源供給方法。
【発明の詳細な説明】
【技術分野】
【０００１】
本発明は、小型のビデオカメラ等の電子機器及びこの電子機器に対して電力を供給する電源供給システム並びに電源供給方法に関する。
【背景技術】
【０００２】
従来、小型の電子機器を長時間使用する場合、商用電源、バッテリー等から電力供給を受けなければならなかった。例えば、人物、風景などを撮影するビデオカメラを商用電源の確保が困難な場所で使用する場合には、バッテリーのみから電力供給を受けることになり、長時間の使用には、多くの予備バッテリーを用意しておき、バッテリーを交換する必要があった。
【０００３】
また、業務用ビデオカメラを長時間使用する場合、一般に商用電源に接続されるが、停電等の電源バックアップのためにバッテリーを装着することが提案されている（例えば、特許文献１参照。）。
【０００４】
【特許文献１】特開平１０−２８５８２９号公報
【発明の開示】
【発明が解決しようとする課題】
【０００５】
ところで、番組制作などで商用電源の確保が困難な場所で撮影する場合には、予備のビデオカメラを複数台用意し、バッテリー交換時に他のビデオカメラで画像を記録することで、撮影が一時中止しないようにしている。しかしながら、山岳地帯などの自然フィールドでは、最小限の機材で撮影を行わなければならないため、１台しかビデオカメラを用意できないことがある。この場合、バッテリー交換の際、映像記録が一時中止してしまい、貴重な映像を逃してしまう虞があった。
【０００６】
また、番組制作などで使用する業務用で小型のビデオカメラは、部品数が多いため、ビデオカメラ内部にバッテリー交換のための内部バッテリーを設けることも困難である。
【０００７】
本発明は、このような従来の実情に鑑みて提案されたものであり、商用電源の確保が困難な場所でも連続して使用することができる小型の電子機器及び電源供給システム並びに電源供給方法を提供することを目的とする。
【課題を解決するための手段】
【０００８】
上述の課題を解決するために、本発明に係る電子機器は、バッテリーが装着される装着部に設けられ、このバッテリーと電気的に接続される第１の端子と、バッテリーとケーブルを介して電気的に接続され、上記第１の端子に接続されたバッテリーが交換可能な位置に配される第２の端子と、電力を消費する負荷と、上記第１の端子及び上記第２の端子のうち少なくともいずれか一方の端子に入力される電力を上記負荷に供給する供給手段とを備え、上記供給手段は、上記第１の端子が第１のバッテリーと接続され、上記第２の端子がケーブルを介して第２のバッテリーと接続されると、上記第１の端子及び上記第２の端子に入力される電力を上記負荷に供給し、上記第１のバッテリーが装着部から取り外され、上記第２の端子がケーブルを介して第２のバッテリーと接続されると、上記第２の端子に入力される電力を上記負荷に供給し、上記第１の端子が第２のバッテリーと接続され、上記第２の端子がケーブルを介して第２のバッテリーと接続されると、上記第１の端子及び上記第２の端子に入力される電力を上記負荷に供給し、上記第２のバッテリーと接続されたケーブルが上記第２の端子から取り外されると、上記第２の端子に入力される電力を上記負荷に供給する。
【０００９】
また、本発明に係る電源供給システムは、第１の電力出力端子及び第２の電力出力端子を備える第１及び第２のバッテリーと、バッテリーが装着される装着部に設けられ、上記第１の電力出力端子と電気的に接続される第１の端子と、上記第２の電力出力端子とケーブルを介して電気的に接続され、上記第１の端子に接続されたバッテリーが交換可能な位置に配される第２の端子と、電力を消費する負荷と、上記第１の端子及び上記第２の端子のうち少なくともいずれか一方の端子に入力された電力を上記負荷に供給する供給手段とを備え、上記第１の端子が第１のバッテリーの第１の電力出力端子と接続され、上記第２の端子がケーブルを介して第２のバッテリーの第２の電力出力端子と接続されると、上記第１の端子及び上記第２の端子に入力される電力を上記負荷に供給し、上記第１のバッテリーが装着部から取り外され、上記第２の端子がケーブルを介して第２のバッテリーの第２の電力出力端子と接続されると、上記第２の端子に入力される電力を上記負荷に供給し、上記第１の端子が第２のバッテリーの第１の電力出力端子と接続され、上記第２の端子がケーブルを介して第２のバッテリーの第２の電力出力端子と接続されると、上記第１の端子及び上記第２の端子に入力される電力を上記負荷に供給する。
【００１０】
また、本発明に係る電源供給方法は、第１の電力出力端子及び第２の電力出力端子を備える第１及び第２のバッテリーと、バッテリーが装着される装着部に設けられ、上記第１の電力出力端子と電気的に接続される第１の端子と、上記第２の電力出力端子とケーブルを介して電気的に接続され、上記第１の端子に接続されたバッテリーが交換可能な位置に配される第２の端子と、電力を消費する負荷と、上記第１の端子及び上記第２の端子のうち少なくともいずれか一方の端子に入力された電力を上記負荷に供給する供給手段とを備える電源供給システムにおける電源供給方法であって、上記第１の端子が第１のバッテリーの第１の電力出力端子と接続され、上記第２の端子がケーブルを介して第２のバッテリーの第２の電力出力端子と接続され、上記第１の端子及び上記第２の端子に入力された上記第１のバッテリー及び上記第２のバッテリーの電力を上記負荷に供給する第１の供給工程と、上記第１の端子に接続された第１のバッテリーが上記装着部から取り外され、上記第２の端子に入力された上記第２のバッテリーの電力を上記負荷に供給する第２の供給工程と、上記第１のバッテリーが取り外された第１の端子に上記第２のバッテリーの第１の電力出力端子が接続され、上記第１の端子及び上記第２の端子に入力された上記第２のバッテリーの電力を上記負荷に供給する第３の供給工程と、上記第２のバッテリーと接続されたケーブルが上記第２の端子から取り外され、上記第１の端子に入力された上記第２のバッテリーの電力を上記負荷に供給する第４の供給工程とを有する。
【発明の効果】
【００１１】
本発明によれば、第１の端子に交換するバッテリーの電力が入力されている場合、第２の端子に満充電の他のバッテリーの電力を入力することができるため、商用電源等がない場所でも連続して使用することができる。
【発明を実施するための最良の形態】
【００１２】
以下、本発明を適用した具体的な実施の形態について、図面を参照しながら詳細に説明する。
【００１３】
（第１の実施の形態）  
図１は、本発明の第１の実施の形態に係るビデオカメラを示す概観図である。このビデオカメラ１０は、ビデオカメラ１０の表示手段、記録手段、レンズ駆動手段、電子回路等の本体負荷に電力を供給するバッテリー１１が装着部に着脱可能に接続され、商用電源がない野外等でも撮影が可能となっている。また、このビデオカメラ１０は、電源をオフ状態にしなくても、バッテリー１１と予備バッテリー１２とを交換可能となっている。
【００１４】
具体的には、ビデオカメラ１０は、バッテリー１１が装着される装着部に設けられ、電源供給を受ける第１の電源端子と、バッテリー１１とケーブル１３を介して電気的に接続され、第１の電源端子に接続されたバッテリー１１が交換可能な位置に配される第２の電源端子とを備えている。また、バッテリー１１及び予備バッテリー１２は、電力を出力する第１のバッテリー端子と第２のバッテリー端子とを備えている。したがって、例えば、第１の電源端子にバッテリー１１が接続されている場合は、可撓性を有するケーブル１３を介して第２の電源端子に予備バッテリー１２を接続すれば、予備バッテリー１２から電力の供給を受けることができる。これにより、電力供給を遮断しなくてもバッテリー１１を取り外すことができる。そして、バッテリー１１が取り外された第１の電源端子にケーブル１３が接続されていない予備バッテリー１２のもう一方のバッテリー端子を接続し、ケーブル１３を取り外すことにより、バッテリー１１を交換することができる。このように満充電の予備バッテリー１２に順次交換すれば、商用電源がない野外等でも連続撮影を行うことができる。
【００１５】
また、ビデオカメラ１０は、ビューファインダ１４を備え、例えばユーザの肩にのせて撮影を行うことができる。
【００１６】
図２は、ビデオカメラの電源回路の一例を示す図である。この電源回路２０は、第１の電源端子２１ａ，２１ｂと、整流素子２２と、スイッチ２３と、第２の電源端子２４ａ，２４ｂと、整流素子２５と、ＤＣ／ＤＣコンバータ２６とを備えている。
【００１７】
また、バッテリー１１は、第１の電源端子２１ａ，２１ｂに接続される第１のバッテリー端子３１ａ，３１ｂと、ケーブル１３の端子が接続される第２のバッテリー端子３２ａ，３２ｂとを備えている。なお、予備バッテリー１２も（図示せず。）、バッテリー１１と同様に、第１の電源端子２１ａ，２１ｂに接続される第１のバッテリー端子と、ケーブル１３の端子が接続される第２のバッテリー端子とを備えている。
【００１８】
第１の電源端子２１ａ，２１ｂは、バッテリー１１又は予備バッテリーが着脱可能に装着される装着部に設けられる。そして、バッテリー１１又は予備バッテリーが装着されると、第１の電源端子２１ａ，２１ｂが第１のバッテリー端子３１ａ，３１ｂと接続され、バッテリー１１又は予備バッテリー１２から電力が入力される。第１の電源端子２１ａ，２１ｂに入力された電力は、整流素子２２及びスイッチ２３に供給される。
【００１９】
整流素子２２は、例えば電流を片方向に流すダイオードからなる。この整流素子２２は、第１の電源端子２１ｂからＤＣ／ＤＣコンバータ２６の方向の電流のみを流し、逆方向の電流を遮断する。これにより、電流が逆流してバッテリーが発熱するのを防ぐ。
【００２０】
スイッチ２３は、整流素子２２の電圧ドロップを最小にするために設けられており、スイッチ２３がオン状態の場合には、整流素子２２に電流がほとんど流れず、スイッチ２３がオフ状態の場合には、電流が整流素子２２を流れる。また、スイッチ２３は、第２の電源端子２４ａ，２４ｂから電力の供給を受けているか否かでオンオフが切り換えられる。具体的には、第２の電源端子２４ａ，２４ｂから電力の供給を受けている場合には、スイッチ２３がオフ状態となり、第２の電源端子２４ａ，２４ｂから電力の供給を受けていない場合には、スイッチ２３がオン状態となる。これにより、第２の電源端子２４ａ，２４ｂからの電流が電源端子２１ａ，２１ｂに流れるのを防ぐ。
【００２１】
第２の電源端子２４ａ，２４ｂは、バッテリー１１又は予備バッテリー１２が装着部に接続されていても、ケーブル端子が接続可能な位置に設けられている。これにより、バッテリー１１又は予備バッテリー１２が装着部に装着されて第１の電源端子２１ａ，２１ｂに電力が入力されるとともに、ケーブル１３を介してバッテリー１１又は予備バッテリー１２からの電力が第２の電源端子２４ａ，２４ｂに入力可能な状態とすることができる。
【００２２】
整流素子２５は、例えば電流を片方向に流すダイオードからなる。この整流素子２５は、第２の電源端子２４ｂからＤＣ／ＤＣコンバータ２６の方向の電流のみを流し、逆方向の電流を遮断する。これにより、電流が逆流してバッテリーが発熱するのを防ぐ。
【００２３】
ＤＣ／ＤＣコンバータ２６は、第１の電源端子２１ａ，２１ｂや第２の電源端子２４ａ，２４ｂを介して供給された電力を所定の電圧に昇圧又は降圧し、ビデオカメラ１０の本体負荷に出力する。本体負荷としては、表示手段、記録手段、レンズ駆動手段、電子回路等を挙げることができる。
【００２４】
ここで、上述したスイッチ２３のオンオフの切り換えについて具体的に説明する。具体例として示す切り換え方法は、第２の電源端子２４ａ，２４ｂにケーブル１３の端子が接続されたか否かを検出し、その検出結果に応じてスイッチ２３を切り換える。つまり、この例では、端子接続の検出結果に応じて、整流素子２２への電力の入力を制御する。
【００２５】
図３は、ケーブル端子を示す概観図である。ケーブル端子４０は、端子部４１と可撓性を有するケーブル部４２とからなっている。端子部４１は、所定形状の絶縁部材からなり、絶縁部材の所定位置にはケーブル部４２内の芯線と電気的に接続された凹型端子が設けられている。
【００２６】
図４は、ケーブル端子が接続される本体のハウジングを示す正面図であり、図５は、ケーブル端子が接続される状態のハウジングの部分断面図である。ハウジング５０は、ケーブルの端子部４１と着脱可能に嵌合する挿入部５１と、端子部４１の凹型端子と電気的に接続するための凸型端子５２と、端子部４１の挿入を検出するためのスイッチ部材５３と、スイッチ部材５３を一点で支えるスイッチ支点５４と、スイッチ部材５３の回動によりスイッチ２３の回路をオンオフするスイッチ接点５５と、スイッチ部材５３をスイッチ接点５５に反発させるバネ５６とを備えている。
【００２７】
先ず、図６（Ａ）に示すように、挿入部５１に端子部４１が挿入された状態では、まだケーブル１３の端子部４１がスイッチ部材５３を押し上げていないため、スイッチ部材５３がスイッチ接点５５と接触している。このためスイッチ２３はオン状態となり、整流素子２２へ電流がほとんど流れない状態となる。
【００２８】
端子部４１が挿入部５１にさらに挿入されると、図６（Ｂ）に示すように、端子部４１がスイッチ部材５３を押し上げ、スイッチ支点５４を支点としてスイッチ部材５３が回動し、スイッチ部材５３がスイッチ接点５５から離れる。これによりスイッチ２３がオフ状態となり、整流素子２２に電流が流れる状態となる。
【００２９】
さらに、端子部４１が押し込まれると、図６（Ｃ）に示すように、挿入部５１の凸型端子５２と端子部４１の凹型端子とが電気的に接続される。これにより、第２の電源端子２４ａ，２４ｂに電力が入力され、本体負荷に電力が供給される状態となる。
【００３０】
このようにケーブル端子４０の挿入を検出し、ケーブル端子４０が挿入された場合、スイッチ２３をオフ状態とし、第１の電源端子２１ａ，２１ｂに入力された電力を整流素子２２で整流してＤＣ／ＤＣコンバータ２６に供給することにより、ケーブル１３を介して入力される電流が第１の電源端子２１ｂに流れるのを防ぐことができる。また、ケーブル端子４０が挿入されていない場合、スイッチ２３をオン状態とし、第１の電源端子２１ａ，２１ｂに入力された電力を整流素子２２で整流せずにＤＣ／ＤＣコンバータ２６に供給することにより、整流素子２２の電圧ドロップを最小にすることができる。なお、整流素子２５についても整流素子２２と同様にスイッチを設ける構成とし、整流素子２５に流れる電流を制御するようにしてもよい。
【００３１】
次に、図７を参照してバッテリー交換におけるビデオカメラ１０の動作について説明する。ここでは、使用中のバッテリー１１と満充電の予備バッテリー１２とを交換することとする。
【００３２】
図７（Ａ）に示すように、ビデオカメラ１０は、バッテリー１１から電力の供給を受ける。具体的には、バッテリー１１からの放電電流が第１の電源端子２１、スイッチ２３、ＤＣ／ＤＣコンバータ２６を流れる状態となる。また、この状態では、スイッチ２３がオン状態であるため、整流素子２２にはほとんど電流が流れない。したがって、整流素子２２による電圧ドロップが最小となりバッテリー１１の電力消費を抑えることができる。これにより、商用電源であるＡＣ（Alternating Current）電源を使うことができない野外にて長時間記録することができる。
【００３３】
ユーザは、バッテリー１１を満充電（フルチャージ）の予備バッテリー１２と交換する場合、予備バッテリー１２にケーブル１３を接続する（図７（Ｂ））。ここで、予備バッテリー１２は、ケーブル端子４０と第２のバッテリー端子を介して接続される。
【００３４】
次に、ユーザは、もう一方のケーブル端子４０をビデオカメラ１０の挿入部５１に挿入する。このとき、上述したケーブル端子の検出によって、スイッチ２３がオフ状態となる。そして、ビデオカメラ１０は、バッテリー１１と予備バッテリー１２の両方から電力の供給を受ける。具体的には、図７（Ｃ）に示すように、バッテリー１１の放電電流が第１の電源端子２１ｂ、整流素子２２、ＤＣ／ＤＣコンバータ２６を流れ、予備バッテリー１２の放電電流が第２の電源端子２４ｂ、整流素子２５、ＤＣ／ＤＣコンバータ２６を流れる状態となる。
【００３５】
次に、ユーザは、電力残量の少ないバッテリー１１をビデオカメラ１０の装着部から取り外す。ビデオカメラ１０は、バッテリー１１が取り外されると、予備バッテリー１２のみから電力供給を受ける。具体的には、図７（Ｄ）に示すように、予備バッテリー１２の放電電流が第２の電源端子２４ｂ、整流素子２５、ＤＣ／ＤＣコンバータ２６を流れる状態となる。
【００３６】
次に、ユーザは、予備バッテリー１２をバッテリー１１が取り外された装着部の第１の電源端子２１ａ，２１ｂに接続する（図７（Ｅ），（Ｆ））。このとき、ビデオカメラ１０は、予備バッテリー１２から電力供給を第１の電源端子２１ａ，２１ｂ及び第２の電源端子２４ａ，２４ｂを介して受ける。具体的には、図７（Ｆ）に示すように、予備バッテリー１２の放電電流が第２の電源端子２４ｂ、整流素子２５、ＤＣ／ＤＣコンバータ２６を流れるとともに、第１の電源端子２１ｂ、整流素子２２、ＤＣ／ＤＣコンバータ２６を流れる状態となる。
【００３７】
次に、ユーザは、第２の電源端子２４ａ，２４ｂ及び第２のバッテリー端子からケーブル１３を外す。このとき、上述したケーブル端子の検出によって、スイッチ２３がオン状態となる。そして、ビデオカメラ１０は、予備バッテリー１２のみから電力の供給を受ける。具体的には、図７（Ｇ）に示すように予備バッテリー１２からの放電電流が第１の電源端子２１、スイッチ２３、ＤＣ／ＤＣコンバータ２６を流れる状態となる。つまり、バッテリー１１が装着された図７（Ａ）と同じ状態となる。
【００３８】
このようにバッテリー交換を行うことにより、ビデオカメラ１０は、商用電源等がない場所でも長時間連続して記録することができる。また、余計な内部バッテリー、商用電源用のアダプタ等を備えなくてもよいため、連続撮影に伴うカメラマンの疲労を軽減させることができる。
【００３９】
（第２の実施の形態）  
第２の実施の形態におけるビデオカメラは、バッテリーの電力残量を検知し、ユーザにバッテリーの電力残量、バッテリーの取り外しタイミング等を告知するものである。なお、上記第１の実施の形態のビデオカメラ１０と同様な構成には、同一符号を付して説明を省略する。
【００４０】
図８は、第２の実施の形態におけるビデオカメラの電源回路の一例を示す図である。この電源回路６０は、第１の電源端子２１ａ，２１ｂと、第１の検知回路６１と、整流素子２２と、スイッチ２３と、第２の電源端子２４ａ，２４ｂと、第２の検知回路６２と、整流素子２５と、ＤＣ／ＤＣコンバータ２６とを備えている。すなわち、電源回路６０は、図２に示す電源回路において、第１の電源端子２１ａ，２１ｂと整流素子２２との間及び第２の電源端子２４ａ，２４ｂと整流素子２５との間にそれぞれバッテリーの電力残量を検知する検知回路６１，６２を配置したものである。
【００４１】
第１の検知回路６１は、第１の電源端子２１ｂに入力される電流、電圧、温度等を測定し、バッテリーの電力残量を検知する。また、第２の検知回路６２は、第２の電源端子２４ｂから入力される電流、電圧、温度等を測定し、バッテリーの電力残量を検知する。バッテリーの電力残量の検知方法としては、バッテリーの電圧に応じた電力残量の検知や、バッテリーの放電量の積算による電力残量の検知を挙げることができる。
【００４２】
また、ビデオカメラは、ビューファインダ、液晶パネル、ＬＥＤ（Light Emitting Diode）等の表示手段を備えており、バッテリーの電力残量、バッテリーの取り外しタイミング等をユーザに告知する。特に、連続記録する上では、ビューファインダで告知することが好ましい。
【００４３】
次に、図９及び図１０を参照してバッテリー交換におけるビデオカメラ１０の動作及び表示手段における表示例について説明する。この例では、第１の電源端子２１ａ，２１ｂに接続されたバッテリーの電力残量と第２の電源端子２４ａ，２４ｂに接続されたバッテリーの電力残量とを、ビューファインダ等の表示手段に設けられた本体バッテリー表示部と予備バッテリー表示部にそれぞれ表示する。
【００４４】
図９（Ａ）に示すビデオカメラ１０は、バッテリー１１から電力の供給を受けている。具体的には、バッテリー１１からの放電電流が第１の電源端子２１、第１の検知回路６１、スイッチ２３、ＤＣ／ＤＣコンバータ２６を流れる状態となる。このとき、第１の検知回路６１は、バッテリー１１の電力残量を検知し、ビデオカメラ１０は、例えば、図１０（Ａ）に示すように、本体バッテリー表示部にバッテリー１１の電力残量を表示する。
【００４５】
ビデオカメラ１０は、バッテリー１１の電力残量が少なくなると、例えば、図１０（Ｂ）に示すように、本体バッテリー表示部に「残量５分」を表示するとともに、予備バッテリー表示部に「接続されていません」と表示し、ユーザにバッテリー交換を促す。
【００４６】
ユーザは、バッテリーを交換する場合、満充電（フルチャージ）の予備バッテリー１２にケーブル１３を接続する。ここで、予備バッテリー１２は、ケーブル端子４０と第２のバッテリー端子を介して接続される。
【００４７】
次に、ユーザは、もう一方のケーブル端子４０をビデオカメラ１０の挿入部５１に挿入する。このとき、上述したケーブル端子の検出によって、スイッチ２３がオフ状態となる。そして、ビデオカメラ１０は、バッテリー１１と予備バッテリー１２の両方から電力の供給を受ける。具体的には、図９（Ｃ）に示すように、バッテリー１１の放電電流が第１の電源端子２１ｂ、第１の検知回路６１、整流素子２２、ＤＣ／ＤＣコンバータ２６を流れ、予備バッテリー１２の放電電流が第２の電源端子２４ｂ、第２の検知回路６２、整流素子２５、ＤＣ／ＤＣコンバータ２６を流れる状態となる。また、第１の検知回路６１がバッテリー１１の電力残量を検知し、第２の検知回路６２が予備バッテリー１２の電力残量を検知し、ビデオカメラ１０は、例えば図１０（Ｃ）に示すように各バッテリーの電力残量を本体バッテリー表示部及び予備バッテリー表示部に表示する。
【００４８】
これにより、ユーザは、予備バッテリー１２が満充電されているのを確認することができるとともに、取り外すバッテリーを確認することができる。また、ユーザは、ビデオカメラ１０がバッテリー１１と予備バッテリー１２の両方から電力の供給を受けていることが確認できるので、安心してバッテリー１１を取り外すことができる。
【００４９】
次に、ユーザは、電力残量の少ないバッテリー１１をビデオカメラ１０の装着部から取り外す。ビデオカメラ１０は、バッテリー１１が取り外されると、予備バッテリー１２のみから電力供給を受ける。具体的には、図９（Ｄ）に示すように、予備バッテリー１２の放電電流が第２の電源端子２４ｂ、第２の検知回路６２、整流素子２５、ＤＣ／ＤＣコンバータ２６を流れる状態となる。このとき、ビデオカメラ１０は、例えば図１０（Ｄ）に示すように予備バッテリー表示部に予備バッテリー１２の電力残量を表示するとともに、本体バッテリー表示部に「接続されていません」と表示する。
【００５０】
次に、ユーザは、予備バッテリー１２をバッテリー１１が取り外された装着部の第１の電源端子２１ａ，２１ｂに接続する（図９（Ｅ），（Ｆ））。このとき、ビデオカメラ１０は、予備バッテリー１２から電力供給を第１の電源端子２１ａ，２１ｂ及び第２の電源端子２４ａ，２４ｂを介して受ける。具体的には、図９（Ｆ）に示すように、予備バッテリー１２の放電電流が第２の電源端子２４ｂ、検知回路６２、整流素子２５、ＤＣ／ＤＣコンバータ２６を流れるとともに、第１の電源端子２１ｂ、検知回路６１、整流素子２２、ＤＣ／ＤＣコンバータ２６を流れる状態となる。また、ビデオカメラ１０は、例えば図１０（Ｆ）に示すように、本体バッテリー表示部及び予備バッテリー表示部に予備バッテリー１２の電力残量を表示する。ここで、予備バッテリー表示部に例えば「ケーブルを抜いてください」等を表示し、ユーザに指示するようにしてもよい。
【００５１】
次に、ユーザは、第２の電源端子２４ａ，２４ｂ及び第２のバッテリー端子からケーブル１３を外す。このとき、上述したケーブル端子の検出によって、スイッチ２３がオン状態となる。そして、ビデオカメラ１０は、予備バッテリー１２のみから電力の供給を受ける。具体的には、図９（Ｇ）に示すように予備バッテリー１２からの放電電流が第１の電源端子２１、第１の検知回路６１、スイッチ２３、ＤＣ／ＤＣコンバータ２６を流れる状態となる。つまり、バッテリー１１が装着された図９（Ａ）と同じ状態となる。また、ビデオカメラ１０は、例えば図１０（Ｇ）に示すように本体バッテリー表示部に予備バッテリー１２の電力残量を表示する。
【００５２】
このように本体バッテリー表示部及び予備バッテリー表示部にバッテリーの電力残量等を表示することにより、ユーザは、接続を確認しながらバッテリー交換することができる。これにより、電力供給の遮断を防止して確実にバッテリーを交換することができる。
【００５３】
なお、本発明は上述した実施の形態のみに限定されるものではなく、本発明の要旨を逸脱しない範囲において種々の変更が可能であることは勿論である。例えば、上記実施の形態では、電子機器としてビデオカメラを例に挙げて説明したが、これに限られるものではない。本発明は、特に、映像、音声等を連続して記録するポータブルの記録装置に適用することが好ましいが、例えば、ポータブルの編集装置に適用してもよい。これにより撮影現場での高精度の編集作業を行うことができる。
【図面の簡単な説明】
【００５４】
【図１】第１の実施の形態に係るビデオカメラを示す概観図である。
【図２】第１の実施の形態に係るビデオカメラの電源回路の一例を示す図である。
【図３】ケーブル端子を示す概観図である。
【図４】ケーブル端子が接続される本体のハウジングを示す正面図である。
【図５】ケーブル端子が接続される状態のハウジングの部分断面図である。
【図６】端子部４１の挿入を検出する方法を説明するための概略図である。
【図７】第１の実施の形態に係るビデオカメラの動作例を説明するための模式図である。
【図８】第２の実施の形態に係るビデオカメラの電源回路の一例を示す図である。
【図９】第２の実施の形態に係るビデオカメラの動作例を説明するための模式図である。
【図１０】第２の実施の形態に係るビデオカメラにおける表示例を示す模式図である。
【符号の説明】
【００５５】
１０  ビデオカメラ、  １１  バッテリー、  １２  予備バッテリー、  １３  ケーブル、  １４  ビューファインダ、  ２０  電源回路、  ２１ａ，２１ｂ  電源端子、  ２２  整流素子、  ２３  スイッチ、  ２４ａ，２４ｂ  電源端子、  ２５  整流素子、  ２６  ＤＣ／ＤＣコンバータ、  ３１ａ，３１ｂ  バッテリー端子、  ３２ａ，３２ｂ  バッテリー端子、  ４０  ケーブル端子、  ４１  端子部、  ４２  ケーブル部、  ５０  ハウジング、  ５１  挿入部、  ５２  凸型端子、  ５３  スイッチ部材、  ５４  スイッチ支点、  ５５  スイッチ接点、  ５６  バネ、  ６０  電源回路、  ６１  第１の検知回路、  ６２  第２の検知回路
【図１】
2008283768.tif 000003
【図２】
2008283768.tif 000004
【図３】
2008283768.tif 000005
【図４】
2008283768.tif 000006
【図５】
2008283768.tif 000007
【図６】
2008283768.tif 000008
【図７】
2008283768.tif 000009
【図８】
2008283768.tif 000010
【図９】
2008283768.tif 000011
【図１０】
2008283768.tif 000012